(57)【特許請求の範囲】
【請求項１】
指示を入力する入力部と、
データベースに格納されたパークアンドライド駐車場に関連した情報をパークアンドライド情報とすると、前記データベースから検索されたパークアンドライド駐車場と該パークアンドライド駐車場に関するパークアンドライド情報とを表示する表示部とを備え、
前記パークアンドライド情報は、施設の位置、利用できる公共交通機関または特典に関する情報を含み、
前記表示部は、前記入力部によって選択されたパークアンドライド駐車場を目的地または経由地とした経路を表示する
ことを特徴とするナビゲーション装置。
【請求項２】
前記表示部に表示されたパークアンドライド駐車場を前記入力部から指示された条件に従って絞り込み、該絞り込んだ後のパークアンドライド駐車場を前記表示部に表示させる絞り込み部を備え、
前記絞り込み部は、利用できる交通手段、優待情報または料金を条件として前記パークアンドライド駐車場を絞り込む
ことを特徴とする請求項１記載のナビゲーション装置。
【請求項３】
指示を入力する入力部と、
データベースに格納されたパークアンドライド駐車場に関連した情報をパークアンドライド情報とすると、前記データベースから検索されたパークアンドライド駐車場を表示する表示部と、
前記表示部に表示されたパークアンドライド駐車場を前記入力部から指示された条件に従って絞り込み、該絞り込んだ後のパークアンドライド情報を前記表示部に表示させる絞り込み部とを備え、
前記絞り込み部は、利用できる交通手段、優待情報または料金を条件として前記パークアンドライド駐車場を絞込み、
前記表示部は、前記入力部によって選択されたパークアンドライド駐車場を目的地または経由地とした経路を表示する
ことを特徴とするナビゲーション装置。
【請求項４】
前記表示部に表示されたパークアンドライド駐車場が前記入力部によって選択された場合に、前記選択されたパークアンドライド駐車場を目的地または経由地に設定して経路探索を行う経路探索部を備え、
前記表示部は、前記経路探索部で探索された経路を表示する
ことを特徴とする請求項１から請求項３のうちのいずれか１項記載のナビゲーション装置。
【請求項５】
前記表示部は、前記入力部から指示された施設または地点の周辺のパークアンドライド駐車場と該パークアンドライド駐車場に関するパークアンドライド情報とを表示する
ことを特徴とする請求項１から請求項４のうちのいずれか１項記載のナビゲーション装置。
【請求項６】
前記表示部は、前記入力部から指示された複数の施設または地点の各々のパークアンドライド駐車場と該各々のパークアンドライド駐車場に関するパークアンドライド情報とを表示する
ことを特徴とする請求項１から請求項４のうちのいずれか１項記載のナビゲーション装置。
【請求項７】
データベースに格納されたパークアンドライド駐車場に関連した情報をパークアンドライド情報とすると、前記データベースからパークアンドライド駐車場と該パークアンドライド駐車場に関するパークアンドライド情報とを検索するステップと、
前記検索されたパークアンドライド駐車場とパークアンドライド情報とを表示手段に表示させるステップとを備え、
前記パークアンドライド情報は、施設の位置、利用できる公共交通機関または特典に関する情報を含み、
更に、指示を入力する入力部によって選択されたパークアンドライド駐車場を目的地または経由地とした経路を前記表示手段に表示させるステップを備える
ことを特徴とするナビゲーション方法。
【請求項８】
データベースに格納されたパークアンドライド駐車場に関連した情報をパークアンドライド情報とすると、前記データベースからパークアンドライド駐車場と該パークアンドライド駐車場に関するパークアンドライド情報とを検索する処理と、
前記検索されたパークアンドライド駐車場とパークアンドライド情報とを表示手段に表示させる処理とを実行させ、
前記パークアンドライド情報は、施設の位置、利用できる公共交通機関または特典に関する情報を含み、
更に、指示を入力する入力部によって選択されたパークアンドライド駐車場を目的地または経由地とした経路を前記表示手段に表示させる処理を実行させる
ことを特徴とするナビゲーションプログラム。
【発明の詳細な説明】
【技術分野】
【０００１】
この発明は、出発地から目的地までの経路を案内するナビゲーション装置に関し、特にパークアンドライド情報に基づき好適な駐車場を案内する技術に関する。
【背景技術】
【０００２】
近年、交通渋滞の緩和および環境保護を目的として、駅の近辺まで自動車で行って駅の周辺の駐車場に駐車し、公共交通機関、例えば鉄道またはバスなどに乗り換えて目的地まで行くパークアンドライド（Park & Ride）が知られている。このパークアンドライドでは、目的地（施設）までの無料送迎交通機関を利用できたり、駐車料金が安くなったり、さらには交通機関のフリーパスチケットを格安で購入できたりといった種々の施策が講じられている。
【０００３】
このようなパークアンドライドに関連する技術として、特許文献１は、ユーザの公共交通手段の利用を考慮した比較的柔軟性に富んだ経路プランニングまたは経路計算を可能とする改善されたナビゲーション機器を開示している。このナビゲーションは、キーボードのような入力装置を介して所望の目的地および瞬時の所在地を受け取る。代替的に、瞬時の所在地が付加的なＧＰＳ受信器によって求められ、この経路計算ユニットに伝達される。データ格納装置から経路計算ユニットは交通道路網に関するデータを受け取り、これらのデータに基づいて所在地から目的地までの経路を計算し、経路や走行指示をディスプレイ上に表示する。第１の装置は、格納装置からの地図データに加えて、公共交通手段の距離データを経路計算ユニットに伝達するために設けられており、経路計算ユニットによって計算される旅行経路は、公共交通手段も含むことができる。
【先行技術文献】
【特許文献】
【０００４】
【特許文献１】特開２０００−７４６８３号公報
【発明の概要】
【発明が解決しようとする課題】
【０００５】
しかしながら、上述した特許文献１に開示されたナビゲーション機器においては、目的地の設定時に使用する駐車場が自動的に決定されるため、ユーザは、多種多様の特典が用意されるパークアンドライド駐車場を自由に選択することができない。また、パークアンドライドの優遇条件または乗り換える交通機関などの情報を表示したり、絞り込んだりする機能がないため、ユーザは用途に適合する駐車場を検索することができない。
【０００６】
この発明は、上述した問題を解消するためになされたものであり、その課題は、ユーザが所望のパークアンドライド駐車場を選択することができるナビゲーション装置を提供することにある。
【課題を解決するための手段】
【０００７】
上記課題を解決するために、この発明に係るナビゲーション装置は、指示を入力する入力部と、データベースに格納されたパークアンドライド駐車場に関連した情報をパークアンドライド情報とすると、データベースから検索されたパークアンドライド駐車場と該パークアンドライド駐車場に関するパークアンドライド情報とを表示する表示部とを備え、パークアンドライド情報は、施設の位置、利用できる公共交通機関または特典に関する情報を含み、表示部は、入力部によって選択されたパークアンドライド駐車場を目的地または経由地とした経路を表示することを特徴とする。
【発明の効果】
【０００８】
この発明に係るナビゲーション装置によれば、パークアンドライド駐車場を検索して表示し、表示されたパークアンドライド駐車場を入力部から指示された条件に従って絞り込み、この絞り込んだ後のパークアンドライド駐車場を表示し、表示されたパークアンドライド駐車場の１つが選択された場合に、この選択されたパークアンドライド駐車場を目的地または経由地に設定して経路探索を行うように構成したので、ユーザは、所望のパークアンドライド駐車場を選択することができる。
【図面の簡単な説明】
【０００９】
【図１】この発明の実施の形態１に係るナビゲーション装置の構成を示すブロック図である。
【図２】この発明の実施の形態１に係るナビゲーション装置の構成の変形例を示すブロック図である。
【図３】この発明の実施の形態１に係るナビゲーション装置の構成の他の変形例を示すブロック図である。
【図４】この発明の実施の形態１に係るナビゲーション装置の動作を示すフローチャートである。
【図５】この発明の実施の形態２に係るナビゲーション装置の動作を示すフローチャートである。
【図６】この発明の実施の形態３に係るナビゲーション装置の動作を示すフローチャートである。
【発明を実施するための形態】
【００１０】
以下、この発明の実施の形態を、図面を参照しながら詳細に説明する。
実施の形態１．
図１は、この発明の実施の形態１に係るナビゲーション装置の構成を示すブロック図である。このナビゲーション装置は、入力部１１、地図データベース１２、施設データベース１３、パークアンドライド駐車場データベース１４、施設検索部１５、経路探索部１６および表示部１７を備えている。
【００１１】
入力部１１は、例えば、リモートコントローラ（リモコン）、タッチパネル、操作スイッチまたは音声入力装置などの少なくとも１つから構成されており、種々の指示を入力するために使用される。この入力部１１から入力された指示は、施設検索部１５、経路探索部１６および表示部１７に送られる。
【００１２】
地図データベース１２は、地図データを格納している。この地図データベース１２に格納されている地図データは、経路探索部１６および表示部１７によって読み出される。
【００１３】
施設データベース１３は、施設に関連した情報を施設データとして格納している。この施設データベース１３に格納されている施設データは、施設検索部１５によって読み出される。
【００１４】
パークアンドライド駐車場データベース１４は、パークアンドライド駐車場に関連する情報（以下、「パークアンドライド情報」という）を記憶している。パークアンドライド情報には、施設の位置、特典または乗り換える公共交通機関に関する情報などが含まれる。このパークアンドライド駐車場データベース１４に格納されているパークアンドライド情報は、施設検索部１５および経路探索部１６によって読み出される。
【００１５】
施設検索部１５は、入力部１１から入力された施設検索の指示に応じて、施設データベース１３を検索し、この検索により得られた施設を表すデータを表示部１７に送る。また、施設検索部１５は、表示部１７に表示されたジャンルの中のパークアンドライド駐車場が入力部１１によって選択された場合に、パークアンドライド駐車場をパークアンドライド駐車場データベース１４から検索し、この検索により得られたパークアンドライド駐車場を表すデータを表示部１７に送る。
【００１６】
経路探索部１６は、入力部１１から設定された出発地または図示しない位置検出装置で検出された現在地から、入力部１１から設定された経由地または施設検索部１５で検索されたパークアンドライド駐車場を経由地として経由し、入力部１１から設定された目的地までの経路または施設検索部１５で検索されたパークアンドライド駐車場を目的地とする経路を、地図データベース１２から読み出した地図データに基づき計算し、経路データとして表示部１７に送る。
【００１７】
表示部１７は、例えばＬＣＤ（Liquid Crystal Display）から構成されており、地図データベース１２から読み込まれた地図データに基づき生成された地図を表示するとともに、この地図上に、経路探索部１６から送られてくる経路データによって示される経路を表示し、さらに、施設検索部１５から送られてくる施設の位置を表すデータに基づき施設を表示する。
【００１８】
また、表示部１７は、この発明のジャンルリスト表示部に対応し、ユーザが入力部１１からの指示に応じて、ジャンルをリスト形式で表示する。また、表示部１７は、この発明の表示部に対応し、施設検索部１５から送られてくるデータに基づきパークアンドライド駐車場をリスト形式で表示する。
【００１９】
さらに、この表示部１７は、この発明の絞り込み部として機能する。絞り込み部として機能する表示部１７は、リスト形式で表示されているパークアンドライド駐車場を入力部１１から指示された条件に従って絞り込み、該絞り込んだ後のパークアンドライド駐車場をリスト形式で表示する。
【００２０】
なお、実施の形態１に係るナビゲーション装置は、図２に示すように、パークアンドライド駐車場データベース１４を外部に設けるように構成できる。この場合、ナビゲーション装置は、通信によりパークアンドライド駐車場データベース１４からパークアンドライド情報を取得する。
【００２１】
さらに、実施の形態１に係るナビゲーション装置は、図３に示すように、施設データベース１３、パークアンドライド駐車場データベース１４および施設検索部１５を外部に設けるように構成できる。この場合、ナビゲーション装置は、外部から検索結果を取得する。
【００２２】
次に、上記のように構成される、この発明の実施の形態１に係るナビゲーション装置の動作を、パークアンドライド駐車場を目的地または経由地として設定するまでの目的地／経由地設定処理を中心に、図４に示すフローチャートを参照しながら説明する。
【００２３】
目的地／経由地設定処理においては、まず、ジャンルリストが表示される（ステップＳＴ１１）。すなわち、ユーザが入力部１１から所定の指示を行うことにより、表示部１７にジャンルがリスト形式で表示される。このジャンルには、例えば、花見、スキー場、病院、コンビニエンスストア、パークアンドライド駐車場などといった、ユーザが検索対象とする項目が含まれる。
【００２４】
このジャンルリストが表示されている状態で、パークアンドライド駐車場の選択が行われる（ステップＳＴ１２）。すなわち、ユーザは、入力部１１を操作することによって、表示部１７に表示されたジャンルの中のパークアンドライド駐車場を選択する。これにより、施設検索部１５は、パークアンドライド駐車場データベース１４からパークアンドライド駐車場を検索する。この検索により得られたパークアンドライド駐車場を表すデータは、表示部１７に送られる。
【００２５】
次いで、リスト表示が行われる（ステップＳＴ１４）。すなわち、表示部１７は、施設検索部１５から送られてくるパークアンドライド駐車場を表すデータに基づき、パークアンドライド駐車場をリスト形式で表示する。この際、既知のナビゲーション装置のように空車情報を表示したり営業時間で色分けしたりするだけではパークアンドライド駐車場を探す機能としては十分ではないため、利用できる公共交通機関または特典などを表示するように構成することができる。これにより、ユーザは、所望のパークアンドライド駐車場を容易に探すことができる。
【００２６】
なお、ステップＳＴ１２において、施設検索部１５によってパークアンドライド駐車場データベース１４からパークアンドライド駐車場が検索された後に、ステップＳＴ１３に示すように、地域による絞り込みを行うように構成することができる。すなわち、パークアンドライド駐車場というジャンルで検索を実施した場合、パークアンドライド駐車場データベース１４に格納されている全てのパークアンドライド駐車場が検索されるので、例えば都道府県または市町村などといった行政単位で絞り込みを行うように構成できる。
【００２７】
次いで、絞り込み条件設定が行われる（ステップＳＴ１５）。すなわち、表示部１７は、表示しているパークアンドライド駐車場を入力部１１から指示された条件に従って絞り込み、この絞り込んだ後の残ったパークアンドライド駐車場をリスト形式で表示させる。絞り込み条件としては、駐車場からの交通手段、優待情報または料金などを用いることができる。この絞り込みにより、ユーザが所望しないパークアンドライド駐車場がリストから消去される。
【００２８】
なお、絞り込みに代えて、リストの並び替えを行うように構成することもできる。この場合、絞り込み条件を満足するパークアンドライド駐車場がリストの上位から順番に表示され、絞り込み条件を満足しないパークアンドライド駐車場も消去されることなくリストの下位に表示される。このように、絞り込みやリストの並び替えを行うことにより、ユーザは、所望のパークアンドライド駐車場を容易に探すことができる。
【００２９】
次いで、駐車場選択が行われる（ステップＳＴ１６）。すなわち、ユーザは、入力部１１を操作することによって、表示部１７に表示されたパークアンドライド駐車場の１つを選択する。このステップＳＴ１６で選択されたパークアンドライド駐車場は、経路探索部１６に送られる。
【００３０】
次いで、目的地／経由地設定が行われる（ステップＳＴ１７）。すなわち、経路探索部１６は、ステップＳＴ１６で選択されたパークアンドライド駐車場を、目的地または経由地に設定する。その後、図示は省略するが、経路探索部１６において経路探索が行われ、探索された経路が表示部１７に送られる。これにより、経路線が引かれた地図が表示される。以上により、目的地／経由地設定処理は終了する。
【００３１】
以上説明したように、この発明の実施の形態１に係るナビゲーション装置によれば、パークアンドライド駐車場を検索してリスト形式で表示し、表示されたパークアンドライド駐車場を入力部から指示された条件に従って絞り込み、この絞り込んだ後のパークアンドライド駐車場をリスト形式で表示し、表示されたパークアンドライド駐車場の１つが選択された場合に、この選択されたパークアンドライド駐車場を目的地または経由地に設定して経路探索を行うように構成したので、ユーザは、例えば、施設までの無料送迎交通機関の利用の可否、駐車料金の割引の有無、交通機関のフリーパスチケットの格安購入の可否などを勘案して、所望のパークアンドライド駐車場を選択することができる。
【００３２】
なお、上述した実施の形態１に係るナビゲーション装置では、パークアンドライド駐車場を１つのジャンルに設定してユーザがパークアンドライド駐車場を検索するように構成したが、既存の駐車場の一部としてパークアンドライド駐車場を含めるように構成することもできる。この場合は、パークアンドライド駐車場であることが判別できるように表示する。また、表示部１７は、パークアンドライド駐車場を表示する場合はリスト形式で表示するように構成したが、パークアンドライド駐車場を地図上に重ねて表示するように構成することもできる。
【００３３】
実施の形態２．
この発明の実施の形態２に係るナビゲーション装置の構成は、図１〜図３に示した実施の形態１に係るナビゲーション装置の構成と同じであるが、施設検索部１５の機能が実施の形態１のそれと異なる。以下、実施の形態１と相違する部分を中心に説明する。
【００３４】
すなわち、施設検索部１５は、実施の形態１と同様に、入力部１１から入力された施設検索の指示に応じて、施設データベース１３を検索し、この検索により得られた施設を表すデータを表示部１７に送る他に、この発明のパークアンドライド駐車場検索部として機能する。パークアンドライド駐車場検索部として機能する施設検索部１５は、入力部１１から入力された施設検索の指示に応じて検索した施設または入力部１１から指示された地点の周辺のパークアンドライド駐車場を検索し、この検索により得られたパークアンドライド駐車場を表すデータを表示部１７に送る。この際、検索されたパークアンドライド駐車場のうち優待のあるパークアンドライド駐車場を選択し、この選択したパークアンドライド駐車場を表すデータのみを表示部１７に送るように構成することもできる。
【００３５】
次に、実施の形態２に係るナビゲーション装置の動作を、パークアンドライド駐車場を目的地または経由地として設定するまでの目的地／経由地設定処理を中心に、図５に示すフローチャートを参照しながら説明する。
【００３６】
目的地／経由地設定処理においては、まず、施設または地点が表示される（ステップＳＴ２１）。すなわち、あらかじめ施設検索部１５で検索された施設または入力部１１から入力された地点（現在地を含む）が表示部１７に表示される。
【００３７】
次いで、パークアンドライド駐車場が検索される（ステップＳＴ２２）。すなわち、施設検索部１５は、あらかじめ検索した施設または入力部１１から指示された地点の周辺のパークアンドライド駐車場を検索する。この検索により得られたパークアンドライド駐車場を表すデータは、表示部１７に送られる。
【００３８】
次いで、施設または地点周辺のパークアンドライド駐車場がリスト表示される（ステップＳＴ２３）。すなわち、表示部１７は、施設検索部１５から送られてくるパークアンドライド駐車場を表すデータに基づき、施設または地点周辺のパークアンドライド駐車場をリスト形式で表示する。
【００３９】
次いで、絞り込み条件設定が行われる（ステップＳＴ２４）。すなわち、表示部１７は、表示しているパークアンドライド駐車場を入力部１１から指示された条件に従って絞り込み、この絞り込んだ後の残ったパークアンドライド駐車場をリスト形式で表示させる。絞り込み条件としては、駐車場からの交通手段、優待情報、検索施設に対する優待情報、検索施設までの距離または料金などを用いることができる。この絞り込みにより、ユーザが所望しないパークアンドライド駐車場がリストから消去される。
【００４０】
なお、絞り込みに代えて、リストの並び替えを行うように構成することは、上述した実施の形態１に係るナビゲーション装置の場合と同様である。
【００４１】
次いで、駐車場選択が行われる（ステップＳＴ２５）。このステップＳＴ２５の処理は、図５に示した実施の形態１に係るナビゲーション装置の目的地／経由地設定処理のステップＳＴ１６で行われる処理と同じである。次いで、目的地／経由地設定が行われる（ステップＳＴ２６）。このステップＳＴ２６の処理は、図５に示した実施の形態１に係るナビゲーション装置の目的地／経由地設定処理のステップＳＴ１７で行われる処理と同じである。以上により、目的地／経由地設定処理は終了する。
【００４２】
以上説明したように、この発明の実施の形態２に係るナビゲーション装置によれば、上述した実施の形態１に係るナビゲーション装置と同様の効果を奏する。
【００４３】
実施の形態３．
この発明の実施の形態３に係るナビゲーション装置の構成は、図１〜図３に示した実施の形態１に係るナビゲーション装置の構成と同じであるが、施設検索部１５の機能が実施の形態１のそれと異なる。以下、実施の形態１と相違する部分を中心に説明する。
【００４４】
すなわち、施設検索部１５は、実施の形態１と同様に、入力部１１から入力された施設検索の指示に応じて、施設データベース１３を検索し、この検索により得られた施設を表すデータを表示部１７に送る他に、この発明のパークアンドライド駐車場検索部として機能する。パークアンドライド駐車場検索部として機能する施設検索部１５は、入力部１１から指示された複数の地点の各々の周辺のパークアンドライド駐車場を検索し、この検索により得られたパークアンドライド駐車場を表すデータを表示部１７に送る。
【００４５】
次に、実施の形態３に係るナビゲーション装置の動作を、パークアンドライド駐車場を目的地または経由地として設定するまでの目的地／経由地設定処理を中心に、図６に示すフローチャートを参照しながら説明する。
【００４６】
目的地／経由地設定処理においては、まず、複数の地点が設定される（ステップＳＴ３１）。すなわち、ユーザは、入力部１１からパークアンドライド駐車場を検索したい複数の地点を入力する。
【００４７】
次いで、パークアンドライド駐車場が検索される（ステップＳＴ３２）。すなわち、施設検索部１５は、ステップＳＴ３１で設定された複数の地点の各々の周辺のパークアンドライド駐車場を検索する。この検索により得られたパークアンドライド駐車場を表すデータは、表示部１７に送られる。
【００４８】
次いで、全ての設定された地点に対して近い順にパークアンドライド駐車場がリスト表示される（ステップＳＴ３３）。すなわち、表示部１７は、施設検索部１５から送られてくるパークアンドライド駐車場を表すデータに基づき、複数の地点の各々の周辺のパークアンドライド駐車場をリスト形式で表示する。なお、リストの並び順は五十音順であってもよいし、その他の条件に従った並び順であってもよい。
【００４９】
次いで、絞り込み条件設定が行われる（ステップＳＴ３４）。すなわち、表示部１７は、表示しているパークアンドライド駐車場を入力部１１から指示された条件に従って絞り込み、この絞り込んだ後の残ったパークアンドライド駐車場をリスト形式で表示させる。絞り込み条件としては、駐車場からの交通手段、優待情報、検索施設に対する優待情報または料金などを用いることができる。この絞り込みにより、ユーザが所望しないパークアンドライド駐車場がリストから消去される。
【００５０】
なお、絞り込みに代えて、リストの並び替えを行うように構成することは、上述した実施の形態１に係るナビゲーション装置の場合と同様である。
【００５１】
次いで、駐車場選択が行われる（ステップＳＴ３５）。このステップＳＴ３５の処理は、図５に示した実施の形態１に係るナビゲーション装置の目的地／経由地設定処理のステップＳＴ１６で行われる処理と同じである。次いで、目的地／経由地設定が行われる（ステップＳＴ３６）。このステップＳＴ３６の処理は、図５に示した実施の形態１に係るナビゲーション装置の目的地／経由地設定処理のステップＳＴ１７で行われる処理と同じである。以上により、目的地／経由地設定処理は終了する。
【００５２】
以上説明したように、この発明の実施の形態３に係るナビゲーション装置によれば、上述した実施の形態１に係るナビゲーション装置と同様の効果を奏する。また、実施の形態３に係るナビゲーション装置、観光地などを巡る時の使用に好適であり、駐車場からの公共交通機関または優待条件からパークアンドライド駐車場を検索できるので、効率の良い観光地巡りが可能になる。
【符号の説明】
【００５３】
１１  入力部、１２  地図データベース、１３  施設データベース、１４  パークアンドライド駐車場データベース、１５  施設検索部、１６  経路探索部、１７  表示部。
【図１】
0005345232.tif 000002
【図２】
0005345232.tif 000003
【図３】
0005345232.tif 000004
【図４】
0005345232.tif 000005
【図５】
0005345232.tif 000006
【図６】
0005345232.tif 000007